(57)【要約】【課題】正しいスウィングをしたときだけ衝撃音を発するスウィング矯正器具を提供する。【解決手段】シャフト内に固定されうる筒１と、筒内を軸方向に移動可能な移動体６とを備え、筒１は、両端に移動体の移動を停止させるストッパー３，４を有し、そのグリップ側ストッパーに近い一側とそれに対向する側とに孔５，１１が形成され、移動体６は、軸方向に長く中間点で角度をなす本体１２と、その中間点より径方向に延びる支点７と、孔５，１１に各々引っ掛かりうるフック８，９とを有し、支点よりもヘッド側に重心が存在し、ヘッド側の重力モーメントとグリップ側の重力モーメントとの差によって支点７の向きに応じて本体１２が径方向に振れ、ヘッド側端部の振れの程度に応じて、いずれかのフックが対応する孔に引っ掛かることにより移動体６の移動を停止させるか又はいずれのフックも引っ掛からないように孔との間に遊びを有することを特徴とする。【選択図】図１
2005013528.tif 000002
【特許請求の範囲】
【請求項１】
ゴルフクラブのシャフト内に固定されうる筒と、筒内を軸方向に移動可能な移動体とを備え、
前記筒は、両端に移動体の移動を停止させるストッパーを有し、そのグリップ側ストッパーに近い径方向の一側とそれに対向する側とに孔が形成され、
前記移動体は、軸方向に長く中間点で角度をなす本体と、その中間点より径方向に延びる支点と、本体におけるグリップ側の端部に相反する径方向に延びるように形成され、前記の孔に各々引っ掛かりうるフックとを有し、支点よりもヘッド側に重心が存在し、ヘッド側の重力モーメントとグリップ側の重力モーメントとの差によって支点の向きに応じて前記本体が径方向に振れ、ヘッド側端部の振れの程度に応じて、いずれかのフックが対応する孔に引っ掛かることにより移動体の移動を停止させるか又はいずれのフックも引っ掛からないように孔との間に遊びを有することを特徴とする、ゴルフクラブのスウィング矯正器具。
【請求項２】
請求項１に記載の矯正器具をシャフト内に固定したゴルフクラブ。
【発明の詳細な説明】
【０００１】
【発明の属する技術分野】
この発明は、ゴルフクラブのスウィング矯正器具及びそれを内蔵したゴルフクラブに属する。
【０００２】
【従来の技術】
【特許文献１】特開平１０−２３４９１６号公報
【特許文献２】特開平１１−８９９８８号公報
ゴルフクラブのスウィング矯正器具としては、種々提案されているが、センサーやＩＣ回路を利用して打球時の衝撃音を発生させるようなものは、高価であり、あまり普及が期待できない。そこで、電子部品を用いることなく、シャフトの軸方向に移動可能に設けられた錘と、錘を所定位置で停止させる停止部材とを備え、素振り時に錘が停止部材に衝突することにより衝撃音を発生させる器具が提案されている（特許文献１）。また、シャフトの外周面に受け板を貼り付け、受け板の近くにシャフトと平行に板バネの一端を固定し、板バネの他端に錘を取り付けて、素振り時に板バネがしなって錘が受け板に衝突することにより衝撃音を発生させる器具も提案されている（特許文献２）。
【０００３】
【発明が解決しようとする課題】
しかし、上記各特許文献に記載の器具を含めて従来の安価な練習器具は、単にスウィングするだけで衝撃音が発生するので、スウィングフォームの良否を判断することができず、スウィングの矯正のための参考とならない。
それ故、この発明の課題は、正しいスウィングをしたときだけ衝撃音を発するスウィング矯正器具を提供することにある。
【０００４】
【課題を解決するための手段】
その課題を解決するために、この発明のゴルフクラブのスウィング矯正器具は、
ゴルフクラブのシャフト内に固定されうる筒と、筒内を軸方向に移動可能な移動体とを備え、
前記筒は、両端に移動体の移動を停止させるストッパーを有し、そのグリップ側ストッパーに近い径方向の一側とそれに対向する側とに孔が形成され、
前記移動体は、軸方向に長く中間点で角度をなす本体と、その中間点より径方向に延びる支点と、本体におけるグリップ側の端部に相反する径方向に延びるように形成され、前記の孔に各々引っ掛かりうるフックとを有し、支点よりもヘッド側に重心が存在し、ヘッド側の重力モーメントとグリップ側の重力モーメントとの差によって支点の向きに応じて前記本体が径方向に振れ、ヘッド側端部の振れの程度に応じて、いずれかのフックが対応する孔に引っ掛かることにより移動体の移動を停止させるか又はいずれのフックも引っ掛からないように孔との間に遊びを有することを特徴とする。
【０００５】
この矯正器具によれば、この矯正器具をシャフトに固定したクラブをヘッドが上になるように垂直に立てると、本体のグリップ側端部がグリップ側ストッパーに当たって止まる。そのまま静かにアドレスの位置へ下ろすと、本体のヘッド側端部が重力方向下方に振れると同時にグリップ側端部が上方に上がって第一のフックが対応する孔に引っ掛かるので、移動体は落ちない。次にアドレスからトップにクラブを上げると、シャフトの反転に伴って本体ヘッド側が径方向に振れるとともに第一フックが外れ、第二フックが対応する孔に引っ掛かる。従って、移動体の軸方向位置は変わらない。
その状態から正しくダウンスウィングする、即ち左サイドリードでグリップを引き下ろすと、本体ヘッド側端部がスウィング開始時の遠心力で浮き上がり、てこの作用で第二フックが外れる。続くスウィングの遠心力が軸方向に働くので、移動体が移動してヘッド側ストッパーに衝突し、衝撃音を発する。
一方、上記トップの状態からグリップを中心としてヘッドを回転させるようにスウィングしたときは、遠心力が径方向に働くので、移動体が筒の内面に押しつけられるだけで移動しない。従って、衝撃音も発しない。
こうして衝撃音の有無によってスウィングの良否を即座に容易に判断することができる。
【０００６】
【発明の実施の形態】
この発明の矯正器具の実施形態を図面と共に説明する。図１は、実施形態の矯正器具がシャフト内に固定されたゴルフクラブを示す要部断面図である。
ゴルフクラブ３０のシャフト３１の中に矯正器具２０を内蔵している。矯正器具２０は、シャフト３１内に固定されうる金属製の四角い筒１と、筒１内を軸方向に移動可能な同じ金属製の移動体６とを備える。便宜上、筒１の４つの側面をＡ面、Ｂ面、Ｃ面及びＤ面とする。図１はＢ面及びＤ面に平行な面で切断されているものとする。
【０００７】
筒１は、両端に移動体６の移動を停止させるストッパー３，４を有し、そのグリップ側ストッパー３に近いＡ面とそれに対向するＣ面とに孔５，１１が形成されている。孔５のヘッド側端縁５ａは少し内側に曲げられている。移動体６は、本体１２、支点７及びフック８，９を有する。本体１２は、厚い金属板を切断し曲げ加工することによって作成されており、軸方向に長くヘッド側端部から約２／３の長さの位置で１７０度の鈍角をなす。そして、グリップ側端部が外側に約９０度曲げられることにより、フック９が一体的に形成されている。支点７とフック８とは、１つの薄い金属板１３を切断し、径方向の長さの異なる平行な二面とそれらの間の一面の三面からなる断面コの字形状に曲げ加工することにより形成されており、平行な二面の長い方が支点７、短い方がフック８として機能する。金属板１３は、支点７の基部が本体１２の折れ曲がり位置に一致し、フック８の基部がフック９の背面付近に一致するように本体１２に溶接、カシメなどの手段で固定されている。従って、フック８とフック９とは、本体１２におけるグリップ側の端部を起点として相反する径方向に延びている。移動体６の重心は、支点７よりもヘッド側に存在する。
【０００８】
フック８，９と孔５，１１との関係は、クラブ３０の向きに依存する。先ず、図１においてＡ面が重力方向の上、Ｃ面が下とすると、移動体６の重心が上記の位置に存在するから、本体１２のヘッド側端部１０が図１のようにＣ面と接し、グリップ側端部は浮き上がる。支点７の先端とＡ面とは僅かに遊びを有する。従って、フック９は孔１１に引っ掛からず、フック８が孔５のヘッド側端縁５ａと係り合う。一方、クラブ３０の向きが変わってＡ面とＣ面が天地逆転すると、支点７がＡ面に着地し、ヘッド側端部１０がＡ面と接する。同時にグリップ側端部が浮き上がってフック８が孔５から離れるとともにフック９が孔１１に入る。
【０００９】
この矯正器具２０の作用を以下に説明する。クラブ３０をヘッドが上になるように垂直に立てると、フック９がグリップ側ストッパー３に当たって止まる。このとき各要素の軸方向位置は、グリップ側よりフック９、フック８、端縁５ａ、支点７の順となっている。そのまま静かにアドレスの位置へ下ろすと、図２に示すようにヘッド側端部１０が重力方向下方に振れると同時にフック９が上方に上がって孔１１との係り合いが外れるが、フック８が端縁５ａに引っ掛かるので、移動体６は落ちない。
【００１０】
次にアドレスからトップにクラブ３０を上げると、図３に示すようにシャフトの反転に伴って支点７の先端が筒１の内面に着地し、ヘッド側端部１０が径方向に振れて支点７の着地面と同一面に着地するとともにフック８が端縁５ａから外れ、フック９が孔１１に引っ掛かる。従って、移動体６の軸方向位置はほとんど変わらない。
その状態から正しくダウンスウィングする、即ち左サイドリードでグリップを引き下ろすと、ヘッド側端部１０がスウィング開始時の遠心力で浮き上がり、てこの作用でフック９が外れる。これで移動体６は軸方向に自由となる。続くスウィングの遠心力が軸方向に働くので、移動体６が移動してヘッド側ストッパー４に衝突し、衝撃音を発する。
【００１１】
一方、上記トップの状態からグリップを中心としてヘッドを回転させるようにスウィングしたときは、遠心力が径方向に働くので、移動体６が筒１の内面に押しつけられるだけで移動しない。従って、衝撃音も発しない。また、シャフトの軌道が正しいスウィング平面から外れても音が出なかったり、音が小さかったりする。これは、シャフトがスウィング平面から外れると、本体１２の側面がＢ面又はＤ面に押しつけられて摩擦し、移動しなくなったり、移動速度が遅くなったりするからである。
こうして衝撃音の有無及び大小によってスウィングの良否を即座に容易に判断することができる。そして、大きな音の出るスウィングをすればコックがためられてクラブヘッドが遅れて下りてくるので、インパクトゾーンでのヘッドスピードが増し飛距離が延びる。また、クラブヘッドが上から下りてくるので掬い打ちにならずボールはとらえやすくなる。
【００１２】
【発明の効果】
以上のように、この発明によれば、電気配線や高価な電子部品を要することなく、スウィングの良否を即座に容易に判断することができる。また、矯正器具を本物のゴルフクラブのシャフトに組み込むことができるので、外見も性能も本物のゴルフクラブと同様である。従って、実際にボールを打ちながら楽しく練習することができる。よって、ゴルファーに喜ばれ、ゴルフ産業に貢献する。
【図面の簡単な説明】
【図１】実施形態の矯正器具がシャフト内に固定されたゴルフクラブを示す要部断面図である。
【図２】上記ゴルフクラブのアドレスの状態を簡略に示す断面図である。
【図３】上記ゴルフクラブのトップの状態を簡略に示す断面図である。
【図４】上記ゴルフクラブのダウンスウィングの状態を簡略に示す断面図である。
【符号の説明】
１  筒
３、４  ストッパー
５、１１  孔
６  移動体
７  支点
８、９  フック
１０  ヘッド側端部
【図１】
2005013528.tif 000003
【図２】
2005013528.tif 000004
【図３】
2005013528.tif 000005
【図４】
2005013528.tif 000006